(57)【要約】【課題】ローラー部を回転自在に支承するハンドル部の形状を特殊な形状にして手指で握ったときに良好な刺激が手指に加わるようになすと共に、目の周辺や、鼻の周囲等にもゲルマニウム半導体粒を接触させ易くした美容ローラー器具を提供する。【解決手段】片手で持つことができるハンドル部１と、このハンドル部１に対して回転自在に取付けられたローラー部２とから構成され、ハンドル部１は中央部付近の軸径を小径状となし、当該小径状部３から上下方向に向かって徐々に軸径が大となるように形成し、且つ下端部を球面状に形成した。ローラー部２の六つの平面部５の一面置き毎に配設固定する複数個のゲルマニウム半導体粒６のうち、ハンドル部１から最も遠い位置のゲルマニウム半導体粒６Ｅをローラー部２の先端近くに配設固定した。【選択図】図３
0003154366.tif 000002
【実用新案登録請求の範囲】
【請求項１】
片手で持つことができる大きさのハンドル部と、このハンドル部に対して回転自在に取付けられたローラー部とからなり、前記ハンドル部は中央部付近の軸径を小径状となし、当該小径状部から上下両方向に向かって徐々に軸径が大となるように形成すると共に下端部を球面状に形成し、前記ローラー部は人体の表皮に接触する六つの平面部を備えており、当該六つの平面部の一面置き毎に複数個のゲルマニウム半導体粒を配設固定したことを特徴とする美容ローラー器具。
【請求項２】
前記ローラー部の六つの平面部の一面置き毎に配設固定する複数個のゲルマニウム半導体粒のうち、ハンドル部から最も遠い位置のゲルマニウム半導体粒をローラー部の先端近くに配設固定した請求項１に記載の美容ローラー器具。
【請求項３】
前記ローラー部の先端頂部を球面状に形成し、当該頂部にゲルマニウム半導体粒を付設した請求項１又は請求項２に記載の美容ローラー器具。
【考案の詳細な説明】
【技術分野】
【０００１】
本考案は、ゲルマニウム半導体の優れた電子特性を利用した美容ローラー器具に係り、特にローラー部を回転自在に支承するハンドル部等の改良に関するものである。
【背景技術】
【０００２】
原子番号３２の元素であるゲルマニウムは、電圧降下が小さいことからダイオードとして利用されていると共に、バンドギャップが比較的狭いことから光検出器等として用いられている。一方、ゲルマニウムによる人体への影響として、医学的に解明されていない面があるものの、血流を改善して貧血に効果があるとされ、金属ゲルマニウムを身に付けることで疲労感が解消される、新陳代謝を活発にするといった諸効能が体験者から挙げられているのもまた事実である。
【０００３】
また、特許文献１によれば、ゲルマニウム半導体は加温下の電子易動度が高く、人体温度付近でも電子振動を開始する特性があるので、人体のうちの電気良導性がある経穴経路部位にゲルマニウム半導体を当接すると、この電気的調整機能によって経穴経路部位を通じて自律神経細胞の異常電位が正常となり、その結果、ホルモン分泌が正常に調整され、血液が活性化されその循環が良くなると推測されると記載されている。
【０００４】
このようなゲルマニウム半導体の電子特性を応用した美容器具として、特許文献２に示されるようなローラーマッサージ器が知られている。この特許文献２に開示されたローラーマッサージ器は、把持部と、該把持部に対して回転可能に設けられたローラー部とを備え、当該ローラー部が皮膚に接触する六面を備えた棒状であり、当該各六面に粒状のゲルマニウム半導体が取付けられている構造となっている。
【先行技術文献】
【特許文献】
【０００５】
【特許文献１】特開昭５８−１４６５号公報
【特許文献２】特開２００８−１１９１８１号公報
【考案の概要】
【考案が解決しようとする課題】
【０００６】
上記特許文献２に示された従来のローラーマッサージ器における把持部は、ローラー部と同一の軸芯を持つ単なる棒状となっており、手指で握ったときに手のひらに均等に当接することとなって、手指に刺激が加わるようなことがなかった。
【０００７】
また、特許文献２に示されたローラーマッサージ器を含め従来の美容ローラー器具においては、ローラー部の平面に配設固定されるゲルマニウム半導体粒がローラー部の先端頂部よりも可成り内方となる位置に取り付けられていた。そのため、目尻周辺や、鼻の周囲、顎の下等傾斜を伴う部位に対しゲルマニウム半導体粒を良好に接触させ難く、ゲルマニウム半導体粒による美容効果を引き出すのが中々難しかった。
【０００８】
そこで、本考案は、前記した従来のローラーマッサージ器の不具合点をなくし、ローラー部を回転自在に支承するハンドル部の形状を特殊な形状にして手指で握ったときに良好な刺激が手指に加わるようになし、ローラー部の転動による美容効果に加えて手指の血行をも改善することのできる美容ローラー器具を提供することを目的とするものである。
【０００９】
また、ハンドル部から最も遠い位置のゲルマニウム半導体粒をローラー部の先端近くに配設固定することによって、目尻周辺や、鼻の周囲、顎の下等傾斜した部位にも良好にゲルマニウム半導体粒を接触させることができるようになした美容ローラー器具を提供することを目的とするものである。
【課題を解決するための手段】
【００１０】
上記目的を達成するための本考案の構成を詳述すれば、請求項１に係る考案は、片手で持つことができる大きさのハンドル部と、このハンドル部に対して回転自在に取付けられたローラー部とからなり、前記ハンドル部は中央部付近の軸径を小径状となし、当該小径状部から上下両方向に向かって徐々に軸径が大となるように形成すると共に下端部を球面状に形成し、前記ローラー部は人体の表皮に接触する六つの平面部を備えており、当該六つの平面部の一面置き毎に複数個のゲルマニウム半導体粒を配設固定したことを特徴とする美容ローラー器具である。
【００１１】
また、請求項２に係る考案は、前記ローラー部の六つの平面部の一面置き毎に配設固定する複数個のゲルマニウム半導体粒のうち、ハンドル部から最も遠い位置のゲルマニウム半導体粒をローラー部の先端近くに配設固定した請求項１に記載の美容ローラー器具である。
【００１２】
されに、請求項３に係る考案は、前記ローラー部の先端頂部を球面状に形成し、当該頂部にゲルマニウム半導体粒を付設した請求項１又は請求項２に記載の美容ローラー器具である。
【考案の効果】
【００１３】
本考案美容ローラー器具によれば、ハンドル部形状が前記のように、中央部付近の軸径が小径状となっていて、当該小径状部から上下両方向に向かって徐々に軸径が大となるような特殊形状となっているため、握る手指は均等にハンドル部に当接することがなく、従って、手指に良好な刺激が加わることとなって血行が促進され、ローラー部の転動による美容効果に加えて手指の血流をも改善することができるものである。
【００１４】
また、ローラー部の六つの平面部の一面置き毎に配設固定する複数個のゲルマニウム半導体粒のうち、ハンドル部から最も遠い位置のゲルマニウム半導体粒をローラー部の先端近くに配設固定したので、目尻周辺や、鼻の周囲、顎の下等傾斜した部分にも良好にゲルマニウム半導体粒を接触させることができるものである。
【図面の簡単な説明】
【００１５】
【図１】本考案に係る美容ローラー器具の一実施形態を示す正面図である。
【図２】ローラー部の先端頂部に付設したゲルマニウム半導体粒を示す説明図である。
【図３】本考案に係る美容ローラー器具の一実施形態を示す斜視図である。
【考案を実施するための形態】
【００１６】
以下、本考案美容ローラー器具の一実施形態を図面に基づき詳細に説明する。
【００１７】
図中１は片手で持つことができる程度の大きさのハンドル部であり、２はこのハンドル部１に対して、図示しないベアリング装置等を介して回転自在に取付けられたローラー部である。
【００１８】
ハンドル部１は全体が同一径となっている従来型器具の把持部と異なり、図示するように中央部付近の軸径を小径状となし、当該小径状部３から上下両方向に向かって徐々に軸径が大となるように特殊な形状にしてある。ハンドル部１をこのような特殊形態にすることによって、当該ハンドル部１を握持するとき、手指にハンドル部１の表面が均等に当接することがなくなり、換言すれば手指にて握り難く、そのため手指に適度な刺激が加わることとなって血流を改善する効果が期待できるのである。
【００１９】
ハンドル部１の下端部４は、図示するように球面状に形成してある。従って、当該球面状の頂部と、後述するローラー部２の球面状の頂部を両方の手のひらで挟み込んで押圧することで手のひらに従来にない刺激を加えることが可能となる。
【００２０】
ローラー部２は顔等の人体の表皮に接触し得る六つの平面部５を備えており、当該六つの平面部５のうち一面置き毎に複数個のゲルマニウム半導体粒６を配設固定してある。ゲルマニウム半導体粒６を平面部５に取付けるに際しては、平面部５にゲルマニウム半導体粒６が嵌合できる程度の凹陥部を形成し、当該凹陥部内に適宜接着剤を介して固定する。
【００２１】
図示する実施形態の場合、六つの平面部５のうち一面置き毎に配設するゲルマニウム半導体粒６の数は３個となっているが、当該配設個数は間隔を詰めて４個乃至７個程度取付けることも充分可能である。
【００２２】
なお、ローラー部２の平面部５に配設する複数個のゲルマニウム半導体粒６のうち、ハンドル部１から最も遠い位置となるゲルマニウム半導体粒６Ｅは、本考案美容ローラー器具の場合、ローラー部２の先端付近、すなわちローラー部２の先端部からほんの僅かの間隔しか置かない位置に偏在させており、これによって目の周辺や、鼻の周囲、顎の下等傾斜を伴った部位にゲルマニウム半導体粒６Ｅを確実に接触させることができ、これらの部位の血流を改善することが可能となるものである。
【００２３】
従来型ローラー器具では、把持部から最も遠い位置となるゲルマニウム半導体粒がローラー部の平面部の可成り内方となる位置に取付けられていたため、目の周辺や、鼻の周囲等にゲルマニウム半導体粒を良好に接触させることができなかったが、本考案によれば、これら傾斜を伴った部分にも確実にゲルマニウム半導体粒を接触させることができる。
【００２４】
また、ローラー部２の先端形状は、図示するように球面状に形成してあり、当該球面状の頂部の中心にもゲルマニウム半導体粒７を取付けてある。なお、前記したようにハンドル部１の下端部４は球面状に形成してあり、当該球面状の下端部にも、特に図示しないが、ゲルマニウム半導体粒を配設固定して、ローラー部２の先端頂部に付設したゲルマニウム半導体粒７と、ハンドル部１の下端部に付設したゲルマニウム半導体粒を両方の手のひらで挟み込んで、押圧することで手のひらにゲルマニウム半導体粒による刺激を加えることができる。
【符号の説明】
【００２５】
１    ハンドル部
２    ローラー部
３    小径状部
４    下端部
５    平面部
６    ゲルマニウム半導体粒
６Ｅ  ハンドル部から最も遠い位置のゲルマニウム半導体粒
７    ゲルマニウム半導体粒
【図１】
0003154366.tif 000003
【図２】
0003154366.tif 000004
【図３】
0003154366.tif 000005